(57)【要約】【課題】受話音声の音質を高めることができる通信端末装置を提供することにある。【解決手段】複数の基地局のそれぞれと、複数のビットレートの中から選択したビットレートで情報を変換した音声信号の電波を送受信するアンテナ１７ａ、および受信した受信音声信号を復調し、送信する送信音声信号を変調する変復調部を含む高周波送受信回路１７と、高周波送受信回路１７で復調された受信音声信号の補正を行う受信音声補正回路１８と、自機の位置において最も電界強度が強い一の基地局から受信する受信音声信号のビットレートよりも一の基地局以外の他の基地局から受信する受信音声信号のビットレートが高い場合に、一の基地局から受信する受信音声信号を他の基地局から受信する受信音声信号を用いて補正するように、受信音声補正回路１８を制御する制御回路２２と、を備える【選択図】図３
2012205263.tif 000002
【特許請求の範囲】
【請求項１】
複数の基地局との間で並列に通信を行う通信端末装置であって、
複数の基地局のそれぞれと、複数のビットレートの中から選択したビットレートで情報を変換した音声信号の電波を送受信するアンテナ、および受信した受信音声信号を復調し、送信する送信音声信号を変調する変復調部を含む送受信部と、
前記送受信部で復調された受信音声信号の補正を行う受信音声補正部と、
自機の位置において最も電界強度が強い一の基地局から受信する受信音声信号のビットレートよりも前記一の基地局以外の他の基地局から受信する受信音声信号のビットレートが高い場合に、前記一の基地局から受信する受信音声信号を前記他の基地局から受信する受信音声信号を用いて補正するように、前記受信音声補正部を制御する制御部と、
を備えることを特徴とする通信端末装置。
【請求項２】
前記制御部は、前記一の基地局から受信する受信音声信号のビットレートよりも前記他の基地局から受信する受信音声信号のビットレートが低い場合に、前記一の基地局から受信する受信音声信号を補正しないように前記受信音声補正部を制御することを特徴とする請求項１に記載の通信端末装置。
【請求項３】
前記送受信部は、前記受信音声信号をＱＰＳＫ又はＢＰＳＫで復調を行い、
前記制御部は、前記一の基地局から受信する受信音声信号がＢＰＳＫで変調されており且つ前記他の基地局から受信する受信音声信号がＱＰＳＫで変調されている場合に、前記一の基地局から受信する受信音声信号を前記他の基地局から受信する受信音声信号を用いて補正するように、前記受信音声補正部を制御することを特徴とする請求項１又は２に記載の通信端末装置。
【請求項４】
前記送受信部は、ＴＤＭＡ−ＴＤＤ方式を用いたスロットダイバーシティ通信で前記基地局と信号の送受信を行うことを特徴とする請求項１乃至３のいずれか１項に記載の通信端末装置。
【請求項５】
前記送受信部は、前記一の基地局との通信に第１のタイムスロットを割り当て、前記他の基地局との通信に第２のタイムスロットを割り当て、
前記制御部は、前記第１及び第２のタイムスロットそれぞれの変復調方式を前記第１及び第２のタイムスロットそれぞれの通信品質に応じて設定することを特徴とする請求項４に記載の通信端末装置。
【請求項６】
前記送受信部は、前記一の基地局との通信に第１のタイムスロットを割り当てて音声通信を行っており、かつ、第１のタイムスロットを用いた前記一の基地局との音声通信の通信品質が所定の通信品質以上の場合は、第２のタイムスロットをデータ通信に割り当てることを特徴とする請求項５に記載の通信端末装置。
【請求項７】
前記送受信部は、ハンドオーバを実施する際に、データ通信に割り当てられた第２のタイムスロットを音声通信に割り当て、
前記制御部は、第２のタイムスロットの変復調方式をＢＰＳＫ方式に設定することを特徴とする請求項６に記載の通信端末装置。
【発明の詳細な説明】
【技術分野】
【０００１】
本発明は、複数の基地局と通信する機能を備える通信端末装置に関する。
【背景技術】
【０００２】
複数の基地局と通信する携帯電話機等の通信端末装置は、通信先の基地局との間で変調方式をそれぞれ定めている。関連する技術として、本出願人は、複数の基地局から１つを選択して、当該選択した基地局との間で音声通話に係る接続を確立する無線通信装置であって、第１の基地局から第２の基地局へ接続先を切り替える際に、音声パスを前記第１の基地局から前記第２の基地局へ切り替える制御部を備え、前記制御部は、前記第２の基地局との通信方式にＢＰＳＫ方式が選択されている場合に、前記第２の基地局から呼制御の応答を受信する前に前記第１の基地局から無線チャネルの切断通知を受信したときには、前記音声パスを前記第１の基地局から前記第２の基地局へ切り替えず、前記第２の基地局から呼制御の応答を受信したときに、前記音声パスを前記第１の基地局から前記第２の基地局へ切り替えることを特徴とする無線通信装置を提案した。
【先行技術文献】
【特許文献】
【０００３】
【特許文献１】特開２０１０−１７７８３４号公報
【発明の概要】
【発明が解決しようとする課題】
【０００４】
通信端末装置の通信先の基地局としては、自機の位置において電界強度が最も強い基地局が選択される。しかしながら、そのようにして選択された通信先の基地局との間の通信品質が低く、その結果として受話音声の品質が低くなる場合が起こり得る。
【０００５】
本発明は、受話音声の音質を高めることができる通信端末装置を提供することを目的とする。
【課題を解決するための手段】
【０００６】
上述した課題を解決し、目的を達成するために、本発明に係る通信端末装置は、複数の基地局との間で並列に通信を行う通信端末装置であって、複数の基地局のそれぞれと、複数のビットレートの中から選択したビットレートで情報を変換した音声信号の電波を送受信するアンテナ、および受信した受信音声信号を復調し、送信する送信音声信号を変調する変復調部を含む送受信部と、前記送受信部で復調された受信音声信号の補正を行う受信音声補正部と、自機の位置において最も電界強度が強い一の基地局から受信する受信音声信号のビットレートよりも前記一の基地局以外の他の基地局から受信する受信音声信号のビットレートが高い場合に、前記一の基地局から受信する受信音声信号を前記他の基地局から受信する受信音声信号を用いて補正するように、前記受信音声補正部を制御する制御部と、を備えることを特徴とする。
【０００７】
ここで、前記制御部は、前記一の基地局から受信する受信音声信号のビットレートよりも前記他の基地局から受信する受信音声信号のビットレートが低い場合に、前記一の基地局から受信する受信音声信号を補正しないように前記受信音声補正部を制御することが好ましい。
【０００８】
また、前記送受信部は、前記受信音声信号をＱＰＳＫ又はＢＰＳＫで復調を行い、前記制御部は、前記一の基地局から受信する受信音声信号がＢＰＳＫで変調されており且つ前記他の基地局から受信する受信音声信号がＱＰＳＫで変調されている場合に、前記一の基地局から受信する受信音声信号を前記他の基地局から受信する受信音声信号を用いて補正するように、前記受信音声補正部を制御することが好ましい。
【０００９】
また、前記送受信部は、ＴＤＭＡ−ＴＤＤ方式を用いたスロットダイバーシティ通信で前記基地局と信号の送受信を行うことが好ましい。
【００１０】
また、前記送受信部は、前記一の基地局との通信に第１のタイムスロットを割り当て、前記他の基地局との通信に第２のタイムスロットを割り当て、前記制御部は、前記第１及び第２のタイムスロットそれぞれの変復調方式を前記第１及び第２のタイムスロットそれぞれの通信品質に応じて設定することが好ましい。
【００１１】
また、前記送受信部は、前記一の基地局との通信に第１のタイムスロットを割り当てて音声通信を行っており、かつ、第１のタイムスロットを用いた前記一の基地局との音声通信の通信品質が所定の通信品質以上の場合は、第２のタイムスロットをデータ通信に割り当てることとしても良い。
【００１２】
また、前記送受信部は、ハンドオーバを実施する際に、データ通信に割り当てられた第２のタイムスロットを音声通信に割り当て、前記制御部は、第２のタイムスロットの変復調方式をＢＰＳＫ方式に設定することとしても良い。
【発明の効果】
【００１３】
本発明の通信端末装置は、受話音声の音質を高めることができるという効果を奏する。
【図面の簡単な説明】
【００１４】
【図１】図１は、本発明の携帯電子機器の一実施形態の概略構成を示す正面図である。
【図２】図２は、図１に示す携帯電子機器の側面図である。
【図３】図３は、図１、図２に示す携帯電子機器の機能の概略構成を示すブロック図である。
【図４】図４は、携帯電子機器の処理動作の一例を示すフロー図である。
【発明を実施するための形態】
【００１５】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、通信端末装置の一例としてＰＨＳ（Personal  Handy-phone  System）を取り上げるが、本発明の適用対象はＰＨＳに限定されるものではなく、例えば、携帯電話機、スマートフォン等に対しても本発明は適用できる。
【００１６】
図１は、本発明の一実施形態に係る通信端末装置の概略構成を示す正面図であり、図２は、図１に示す通信端末装置の側面図である。図１、図２に示す通信端末装置１０は、無線通信機能を有するＰＨＳである。通信端末装置１０は、筺体１０Ｃが複数の筐体で構成される。具体的には、筺体１０Ｃは、第１筺体１０ＣＡと第２筺体１０ＣＢとで開閉可能に構成される。すなわち、通信端末装置１０は、折り畳み式の筐体を有する。なお、通信端末装置１０の筐体は、このような構造に限定されるものではない。例えば、通信端末装置１０の筐体は、両方の筐体を重ね合わせた状態から一方の筐体と他方の筐体とを互いにスライドできるようにしたスライド式の筐体であっても良いし、重ね合わせ方向に沿う軸線を中心に、一方の筐体を回転させるようにした回転式や、２軸ヒンジを介して両方の筐体を連結したものでもよい。
【００１７】
第１筺体１０ＣＡと第２筺体１０ＣＢとは、連結部であるヒンジ機構１８で連結されている。ヒンジ機構１８で第１筺体１０ＣＡと第２筺体１０ＣＢとを連結することにより、第１筺体１０ＣＡ及び第２筺体１０ＣＢは、ヒンジ機構１８を中心としてともに回動して、互いに遠ざかる方向及び互いに接近する方向（図２の矢印Ｒで示す方向）に回動できるように構成される。第１筺体１０ＣＡと第２筺体１０ＣＢとが互いに遠ざかる方向に回動すると通信端末装置１０が開き、第１筺体１０ＣＡと第２筺体１０ＣＢとが互いに接近する方向に回動すると通信端末装置１０が閉じて、折り畳まれた状態となる（図２の点線で示す状態）。
【００１８】
第１筺体１０ＣＡには、表示部として、図１に示す表示部１２が設けられる。表示部１２は、通信端末装置１０が受信を待機している状態のときに待ち受け画像を表示したり、通信端末装置１０の操作を補助するために用いられるメニュー画像を表示したりする。また、第１筺体１０ＣＡには、通信端末装置１０の通話時に音声を出力する出力手段であるレシーバ１６が設けられる。
【００１９】
第２筺体１０ＣＢには、通話相手の電話番号や、メール作成時等に文字を入力するための操作キー１３Ａが複数設けられ、また、表示部１２に表示されるメニューの選択及び決定や画面のスクロール等を容易に実行するための方向キー及び決定キー（方向及び決定キー）１３Ｂが設けられる。操作キー１３Ａ及び方向キー及び決定キー１３Ｂは、通信端末装置１０の操作部１３を構成する。また、第２筺体１０ＣＢには、通信端末装置１０の通話時に音声を受け取る音声取得手段であるマイク１５が設けられる。操作部１３は、図２に示す、第２筺体１０ＣＢの操作面１０ＰＣに設けられる。操作面１０ＰＣとは反対側の面が、通信端末装置１０の背面１０ＰＢである。
【００２０】
第２筺体１０ＣＢの内部には、アンテナ（後述する）が設けられている。アンテナは、無線通信に用いる送受信アンテナであり、通信端末装置１０と基地局との間で通話や電子メール等に係る電波（電磁波）の送受信に用いられる。また、第２筺体１０ＣＢには、マイク１５が設けられる。マイク１５は、図２に示す、通信端末装置１０の操作面１０ＰＣ側に配置される。
【００２１】
図３は、図１、図２に示す通信端末装置の機能の概略構成及び通信端末装置と基地局との間の通信の様子を示す図である。図３に示すように、通信端末装置１０は、表示部１２と、操作部１３と、マイク１５と、スピーカ１６と、高周波送受信回路１７と、アンテナ１７ａと、受信音声補正回路１８と、Ｄ／Ａ変換回路１９と、Ａ／Ｄ変換回路２０と、制御回路２２と、を有する。
【００２２】
制御回路２２は、通信端末装置１０の全体的な動作を統括的に制御する機能を有する。すなわち、制御回路２２は、通信端末装置１０の各種の処理が、操作部１３の操作や通信端末装置１０の記憶部２４に記憶されるソフトウェアに応じて適切な手順で実行されるように、表示部１２、高周波送受信回路１７、受信音声補正回路１８等の動作を制御する。通信端末装置１０の各種の処理としては、例えば、回線交換網を介して行われる音声通話、電子メールの作成及び送受信、インターネットのＷｅｂ（World  Wide  Web）サイトの閲覧等がある。また、表示部１２、高周波送受信回路１７、受信音声補正回路１８等の動作としては、例えば、表示部１２による画像の表示、高周波送受信回路１７による信号の送受信、受信音声補正回路１８による受信音声の補正等がある。
【００２３】
制御回路２２は、記憶部２４に記憶されているプログラム（例えば、オペレーティングシステムプログラム、アプリケーションプログラム等）に基づいて処理を実行する。制御回路２２は、例えば、マイクロプロセッサユニット（ＭＰＵ：Micro  Processing  Unit）で構成され、前記ソフトウェアで指示された手順にしたがって上述した通信端末装置１０の各種の処理を実行する。すなわち、制御回路２２は、記憶部２４に記憶されるオペレーティングシステムプログラムやアプリケーションプログラム等から命令コードを順次読み込んで処理を実行する。
【００２４】
制御回路２２は、複数のアプリケーションプログラムを実行する機能を有する。制御回路２２が実行するアプリケーションプログラムとしては、例えば、高周波送受信回路１７の駆動を制御するアプリケーションプログラムや、受信音声補正回路１８の駆動を制御するアプリケーションプログラム、画像を表示部１２に表示させたりするアプリケーションプログラム等の複数のアプリケーションプログラムがある。
【００２５】
記憶部２４には、制御回路２２での処理に利用されるソフトウェアやデータが記憶されており、上述した、高周波送受信回路１７の駆動を制御するアプリケーションプログラムを作動させるタスクや、受信音声補正回路１８の駆動を制御するアプリケーションプログラムを作動させるタスクが記憶されている。また、記憶部２４には、これらのタスク以外にも、例えば、通信、ダウンロードされた音声データ、あるいは記憶部２４に対する制御に制御回路２２が用いるソフトウェア、通信相手の電話番号やメールアドレス等が記述されて管理するアドレス帳、発信音や着信音等の音声ファイル、ソフトウェアの処理過程で用いられる一時的なデータ等が記憶されている。
【００２６】
なお、ソフトウェアの処理過程で用いられるコンピュータプログラムや一時的なデータは、制御回路２２によって記憶部２４に割り当てられた作業領域へ一時的に記憶される。記憶部２４は、例えば、不揮発性の記憶デバイス（ＲＯＭ：Read  Only  Memory等の不揮発性半導体メモリ、ハードディスク装置等）や、読み書き可能な記憶デバイス（例えば、ＳＲＡＭ：Static  Random  Access  Memory、ＤＲＡＭ：Dynamic  Random  Access  Memory）等で構成される。
【００２７】
表示部１２は、ディスプレイを有しており、制御回路２２から供給される映像データに応じた映像や画像データに応じた画像をディスプレイに表示させる。ディスプレイは、例えば、液晶ディスプレイ（ＬＣＤ、Liquid  Crystal  Display）や、有機ＥＬ（Organic  Electro−Luminescence）パネルなどで構成された表示パネルで構成される。なお、表示部１２は、ディスプレイに加え、サブディスプレイを有していてもよい。
【００２８】
操作部１３は、例えば、電源キー、通話キー、数字キー、文字キー、方向キー、決定キー、発信キー等、各種の機能が割り当てられた操作キー１３Ａと、方向キー及び決定キー１３Ｂとで構成される。そして、これらのキーがユーザの操作により入力されると、その操作内容に対応する信号を発生させる。発生した信号は、ユーザの指示として制御回路２２へ入力される。
【００２９】
高周波送受信回路１７は、アンテナ１７ａを有し、基地局との間でＴＤＭＡ−ＴＤＤ（Time  Division  Multiple  Access―Time  Division  Duplex）方式による無線信号回線を確立し、基地局との間で電話通信及び情報通信を行い、基地局から受信した音声信号、文字信号、画像信号等を復調し、通信端末装置１０に入力された音声信号、文字信号等を変調し基地局へ送信する。
【００３０】
高周波送受信回路１７は、複数の基地局にそれぞれスロットを割り当てて複数の基地局との間で並列に通信を行うスロットダイバーシティ機能を備える。高周波送受信回路１７は、自機の位置において最も電界強度が強い一の基地局との間に主チャネルを確立し、一の基地局以外の他の基地局との間に別チャネルを確立する。図３では、通信端末装置１０は基地局３１の通信エリア３５内に存在しており、通信端末装置１０の位置において基地局３１の電界強度が最も強いものとする。その場合には、高周波送受信回路１７は、基地局３１との間に主チャネルを確立し、基地局３３との間に別チャネルを確立する。
【００３１】
また、高周波送受信回路１７は、電波の強さ、基地局をハンドオーバする等の通信品質に応じて基地局３１、３３との間の通信方式をそれぞれ設定する。高周波送受信回路１７は、通信品質が良好な基地局との間の通信方式をビットレートの高い（例えば３２ｋｂｐｓ）ＱＰＳＫ（Quadrature  Phase  Shift  Keying）方式に設定し、通信品質が良好ではない基地局との間の通信方式をビットレートの低い（例えば１６ｋｂｐｓ）ＢＰＳＫ（Binary  Phase  Shift  Keying）方式に設定する。ＢＰＳＫ方式は、ＱＰＳＫ方式と比べて、エラーに強いので通信が切れにくいが、ビットレートが低いので音質は良くない。なお、本発明はこれらの変調方式に限定されず、通信品質に応じて８ＰＳＫ方式、６４ＱＡＭ（Quadrature  Amplitude  Modulation）方式等で基地局と無線通信を行うこととしても良い。
【００３２】
また、高周波送受信回路１７は、一の基地局との通信に第１のタイムスロットを割り当て、他の基地局との通信に第２のタイムスロットを割り当てる。制御回路２２は、第１及び第２のタイムスロットそれぞれの変復調方式を第１及び第２のタイムスロットそれぞれの通信品質に応じて設定する。
【００３３】
また、高周波送受信回路１７は、一の基地局との通信に第１のタイムスロットを割り当てて音声通信を行っており、かつ、第１のタイムスロットを用いた一の基地局との音声通信の通信品質が所定の通信品質以上の場合は、第２のタイムスロットをデータ通信に割り当てるようにしても良い。これにより、音声通信とデータ通信を並行して行うことができる。さらに、高周波送受信回路１７は、ハンドオーバを実施する際に、データ通信に割り当てられた第２のタイムスロットを音声通信に割り当て、制御回路２２は、第２のタイムスロットの変復調方式をＢＰＳＫ方式に設定するようにしても良い。これにより、ハンドオーバの際に音声通信が途切れることを抑制することができる。
【００３４】
受信音声補正回路１８は、制御回路２２の制御下で、高周波送受信回路１７から出力される受信音声を補正する。具体的には、受信音声補正回路１８は、主チャネルの通信方式がビットレートの低いＢＰＳＫ方式であり且つ別チャネルの通信方式がビットレートの高いＱＰＳＫ方式である場合、つまり主チャネルの受信音声信号よりも別チャネルの受信音声信号の方が情報量が多い場合には、主チャネルの受信音声信号を別チャネルの受信音声信号を用いて補正する。
【００３５】
なお、受信音声補正回路１８は、主チャネルの通信方式がＱＰＳＫ方式であり且つ別チャネルの通信方式がＢＰＳＫ方式である場合、つまり主チャネルの受信音声信号の方が別チャネルの受信音声信号よりも情報量が多い場合には、主チャネルの受信音声信号を補正しない。また、受信音声補正回路１８は、主チャネルの通信方式及び別チャネルの通信方式が共にＢＰＳＫ方式である場合には、主チャネルの受信音声信号を別チャネルの受信音声信号を用いて補正しても良いし、補正しなくても良い。
【００３６】
Ｄ／Ａ変換回路１９は、受信音声補正回路１８で補正された受信音声信号をＤ／Ａ（Digital／Analog）変換してレシーバ１６に出力し、レシーバ１６から音声が出力される。Ａ／Ｄ変換回路２０は、マイク１５から入力される入力音声信号をＡ／Ｄ（Analog／Digital）変換して高周波送受信回路１７に出力する。高周波送受信回路１７は、Ａ／Ｄ変換回路２０から入力される入力音声信号を変調してアンテナ１７ａから電波を出力する。通信端末装置１０は、基本的に以上のような構成である。
【００３７】
次に、図４を用いて通信端末装置１０の動作、具体的には、基地局から音声信号を受信するときにおける通信端末装置１０の制御動作について説明する。図４は、基地局から音声信号を受信するときにおける通信端末装置１０の処理を示すフロー図である。
【００３８】
まず、制御回路２２は、ステップＳ１０として、主チャネルの変調方式がＱＰＳＫ方式であるか否かを判定する。制御回路２２は、ステップＳ１０で主チャネルの変調方式がＱＰＳＫ方式である（Ｙｅｓ）と判定したら、受信音声補正回路１８に受信音声の補正を行わせずに、処理を終了する。
【００３９】
制御回路２２は、ステップＳ１０で主チャネルの変調方式がＱＰＳＫ方式ではない（Ｎｏ）、つまり主チャネルの変調方式がＢＰＳＫ方式であると判定したら、ステップＳ１２として、別チャネルの変調方式がＱＰＳＫ方式であるか否かを判定する。
【００４０】
制御回路２２は、ステップＳ１２で別チャネルの変調方式がＱＰＳＫ方式ではない（Ｎｏ）と判定したら、ステップＳ１４として、主チャネルのＢＰＳＫ受信信号にエラーが検出されたか否かを判定する。なお、ＢＰＳＫ受信信号のエラー検出は、高周波送受信回路１７で行うことができる。
【００４１】
制御回路２２は、ステップＳ１４で主チャネルのＢＰＳＫ受信信号にエラーが検出されていない（Ｎｏ）と判定したら、受信音声補正回路１８に受信音声の補正を行わせずに、処理を終了する。
【００４２】
制御回路２２は、ステップＳ１２で別チャネルの変調方式がＱＰＳＫ方式である（Ｙｅｓ）と判定したら又はステップＳ１４で主チャネルのＢＰＳＫ受信信号にエラーが検出された（Ｙｅｓ）と判定したら、ステップＳ１６として、主チャネルの受信音声信号を別チャネルの受信音声信号を用いて補正するように、受信音声補正回路１８を制御する。
【００４３】
以上の処理により、通信端末装置１０は、主チャネルの通信方式がＢＰＳＫ方式であり且つ別チャネルの通信方式がＱＰＳＫ方式である場合には、主チャネルの受信音声信号を別チャネルの受信音声信号を用いて補正する。これにより、主チャネルの通信方式がＢＰＳＫ方式であっても、受話音声の音質を高めることができる。
【００４４】
また、通信端末装置１０は、主チャネルの通信方式がＢＰＳＫ方式であり且つ主チャネルのＢＰＳＫ受信信号にエラーが検出された場合には、主チャネルの受信音声信号を別チャネルの受信音声信号を用いて補正する。これにより、主チャネルのＢＰＳＫ受信信号にエラーが検出されても、エラーを補正し、受話音声の音質を高めることができる。
【００４５】
このように、通信端末装置１０は、主チャネル及び別チャネルの受信音声信号からより高い音質で音声を再生することができる。
【００４６】
また、通信端末装置１０は、主チャネルの通信方式がＱＰＳＫ方式である場合には、主チャネルの受信音声信号を補正しない。これにより、処理負荷を軽減することができる。
【００４７】
なお、本実施形態においては、図４に示すフローチャートで、制御回路２２は、ステップＳ１２で別チャネルの変調方式がＱＰＳＫ方式ではない（Ｎｏ）と判定したら、ステップＳ１４として、主チャネルのＢＰＳＫ受信信号にエラーが検出されたか否かを判定することとしているが、制御回路２２は、ステップＳ１４を必ずしも実行しなくても良い。すなわち、制御回路２２は、ステップＳ１２で別チャネルの変調方式がＱＰＳＫ方式ではない（Ｎｏ）と判定したら、処理をステップＳ１６に進め、主チャネルの受信音声信号の補正を行うように受信音声補正回路１８を制御するようにしても良い。
【００４８】
また、ネットワークロボット等のように音声認識を行い音声認識結果で制御を行う場合に、通信端末装置１０を用いれば、受話音声の音質を高めることができるので、音声認識の精度が良くなり、制御誤りを低減することができる。
【００４９】
また、通信端末装置１０は、主チャネルの変調方式がＢＰＳＫであっても通話が可能であるので、通話エリアを広くすることができる。
【００５０】
なお、スロットダイバーシティについて、複数の基地局と並列に通信できない状況にある場合には、一の基地局と通信端末装置１０は、スロットダイバーシティによる通信をするように制御してもよい。
【符号の説明】
【００５１】
１０  通信端末装置
１０Ｃ  筐体
１２  表示部
１３  操作部
１３Ａ  操作キー
１３Ｂ  方向キー及び決定キー
１５  マイク
１６  レシーバ
１７  高周波送受信回路
１７ａ  アンテナ
１８  受信音声補正回路
１９  Ｄ／Ａ変換回路
２０  Ａ／Ｄ変換回路
２２  制御回路
２４  記憶部
【図１】
2012205263.tif 000003
【図２】
2012205263.tif 000004
【図３】
2012205263.tif 000005
【図４】
2012205263.tif 000006